(57)【要約】【課題】多数の機器の状態を示す状態情報を、各々の機器について効率よく収集することができる状態情報収集装置を提供する。【解決手段】複数の機器に取り付けられ、機器のＩＤ情報を記憶するＩＤ情報記憶部８及び機器の状態を示す状態情報を入力し記憶する状態情報記憶部９を設け、機器のＩＤ情報と状態情報を重畳した空間光を投光する投光部２を有する送信器１と、各機器の近傍を移動する移動体に取り付けられ、送信器１の投光部２から投光された空間光を受光する受光部３１を有した受信器３０と、を備える。送信器１がＩＤ情報と状態情報を重畳した空間光を投光する間、移動体が移動しながら受信器３０が受光部３１で空間光を受光し、空間光に重畳される機器のＩＤ情報と状態情報を受信して収集する。【選択図】図４
2013046117.tif 000002
【特許請求の範囲】
【請求項１】
複数の機器に取り付けられ、該機器のＩＤ情報を記憶するＩＤ情報記憶部及び該機器の状態を示す状態情報を入力し記憶する状態情報記憶部を設け、該機器のＩＤ情報と該状態情報を重畳した空間光を投光する投光部を有する送信器と、
該各機器の近傍を移動する移動体に取り付けられ、該送信器の投光部から投光された空間光を受光する受光部を有した受信器と、
を備え、該送信器が該ＩＤ情報と該状態情報を重畳した空間光を投光する間、該移動体が移動しながら該受信器が該受光部で該空間光を受光し、該空間光に重畳される該機器のＩＤ情報と該状態情報を受信して収集することを特徴とする状態情報収集装置。
【請求項２】
前記送信器は、本体ケースの先端部に、投光素子から空間光を投光する該投光部を設けて構成され、該本体ケース内に、
該投光素子を投光動作させる投光駆動回路と、
該機器の状態を示す状態情報を取り込む機器状態情報入力部と、
該機器状態情報入力部から入力した該状態情報を記憶する状態情報記憶部と
該機器のＩＤ情報を記憶するＩＤ情報記憶部と
少なくとも該状態情報とＩＤ情報を含む情報信号により、搬送波を変調して伝送信号を生成し、該投光駆動回路に出力する伝送信号生成部と、
電源入力部を通して供給される電力を入力し、直流電力を該投光駆動回路、伝送信号生成部に供給する電源回路と、
が配されることを特徴とする請求項１記載の状態情報収集装置。
【請求項３】
前記投光素子として、可視光発光ダイオードが使用され、可視光の空間光が該投光素子から投光されることを特徴とする請求項２記載の状態情報収集装置。
【請求項４】
前記伝送信号生成部は、搬送波の高周波信号を発振する搬送波発振器と、前記状態情報とＩＤ情報を含む情報信号により、該搬送波をＰＰＭ変調する変調部と、を備えることを特徴とする請求項２または３記載の状態情報収集装置。
【発明の詳細な説明】
【技術分野】
【０００１】
本発明は、街路灯などの機器に送信器を取り付け、機器の状態情報を空間光に重畳して送信し、受信器を移動しながら複数の機器の状態情報を効率良く収集する状態情報収集装置に関する。
【背景技術】
【０００２】
例えば、高速道路などにおいて設置されている多数の街路灯は、そこに装着されている灯具のランプに寿命があって、ランプが切れて点灯不能となる場合が多いため、全ての街路灯の保守点検を欠かすことができない。
【０００３】
このため、高速道路等の街路灯の保守点検を行う作業者は、非常に長い距離にわたって設置された街路灯の元まで移動して、灯具の設置場所とその状態をいちいち点検し、灯具が不良の場合には、どの場所の灯具が点灯不良となっているかの情報を収集し、その情報に基づき灯具の修理交換を行うという、非常に煩雑で時間のかかる作業を強いられている。
【先行技術文献】
【特許文献】
【０００４】
【特許文献１】特許第４５２６０９５号公報
【発明の概要】
【発明が解決しようとする課題】
【０００５】
一方、従来、トンネル照明用のＬＥＤ灯具を点検するために、ＬＥＤ灯具に可視光通信装置を組み込み、ＬＥＤの劣化状態を示す信号をＬＥＤの照明光に重畳させ、ＬＥＤ灯具に接近したとき、その灯具の照明光を受信器で受光するようにし、ＬＥＤ灯具内に設けた可視光通信装置を用いて、灯具故障情報を移動可能な受信器で収集するシステムが、上記特許文献１で提案されている。
【０００６】
しかし、上記従来のシステムは、ＬＥＤ灯具の照明光にＬＥＤの劣化情報信号を重畳して送信するというように動作するため、ＬＥＤが劣化により点灯不能となった場合、その照明光は消失し、可視光通信を行うことができず、ＬＥＤの劣化情報信号を送信できない、という重大な問題があった。
【０００７】
また、上記従来のシステムは、トンネル照明用の灯具が水銀灯、ナトリウム灯などＬＥＤ以外の灯具の場合、高周波信号で変調された情報を重畳するように灯具を点灯駆動することができないという課題がある。
【０００８】
さらに、上記特許文献１に記載の可視光通信装置は、単にトンネル照明用ＬＥＤを可視光送信器として用い、照度の低下などの情報を可視光通信により送信するのみであるため、受信器を搭載した自動車を、高速道路などで走行させながら、各街路灯の可視光通信装置に接近し、その際、可視光を受信して街路灯の状態情報を受信したとしても、その位置の街路灯などを示す識別情報を作業者が入力する必要があり、状態情報の収集作業が煩雑化する課題があった。
【０００９】
本発明は、上述の課題を解決するものであり、多数の機器の状態を示す状態情報を、各々の機器について効率よく収集することができる状態情報収集装置を提供することを目的とする。
【課題を解決するための手段】
【００１０】
上記目的を達成するために、本発明の状態情報収集装置は、
複数の機器に取り付けられ、該機器のＩＤ情報を記憶するＩＤ情報記憶部及び該機器の状態を示す状態情報を入力し記憶する状態情報記憶部を設け、該機器のＩＤ情報と該状態情報を重畳した空間光を投光する投光部を有する送信器と、
該各機器の近傍を移動する移動体に取り付けられ、該送信器の投光部から投光された空間光を受光する受光部を有した受信器と、
を備え、該送信器が該ＩＤ情報と該状態情報を重畳した空間光を投光する間、該移動体が移動しながら該受信器が該受光部で該空間光を受光し、該空間光に重畳される該機器のＩＤ情報と該状態情報を受信して収集することを特徴とする。
【００１１】
ここで、空間光とは、可視光、赤外光（赤外線）、及び紫外光（紫外線）を含めた概念である。
【００１２】
この発明によれば、多数の機器が広範囲に設置されている場合であっても、移動体を移動させながら、各機器の送信器から投光される空間光を移動体上の受信器で受光し、受光した空間光に重畳される各機器のＩＤ情報（識別情報）と共に各機器の状態を示す状態情報を受信して記録し、各機器を識別しながら各機器の状態情報を効率良く自動的に収集することができる。
【００１３】
ここで、上記送信器は、本体ケースの先端部に、投光素子から空間光を投光する該投光部を設けて構成され、該本体ケース内に、
該投光素子を投光動作させる投光駆動回路と、
該機器の状態を示す状態情報を取り込む機器状態情報入力部と、
該機器状態情報入力部から入力した該状態情報を記憶する状態情報記憶部と
該機器のＩＤ情報を記憶するＩＤ情報記憶部と
少なくとも該状態情報とＩＤ情報を含む情報信号により、搬送波を変調して伝送信号を生成し、該投光駆動回路に出力する伝送信号生成部と、
電源入力部を通して供給される電力を入力し、直流電力を該投光駆動回路、伝送信号生成部に供給する電源回路と、
が配されることを特徴とする。
【００１４】
この発明によれば、本体ケースを機器に取り付け、電源入力部を電源に接続し、機器状態情報入力部に信号線を接続するのみで、簡単に送信器を各機器に取り付け、各機器の状態情報の収集に使用することができる。
【００１５】
また、上記状態情報収集装置において、上記電源入力部は、送信器の本体ケースを機器に取り付けるための取付部を兼用した構造とすることが好ましい。これによれば、取付部兼電源入力部を介して送信器を各機器に取り付けるのみで、送信器の電源接続を行なうことができる。
【００１６】
また、上記状態情報収集装置において、上記機器は街路灯であり、上記ＩＤ情報記憶部には、被取付対象の各街路灯のＩＤ情報が予め記憶され、上記機器状態情報入力部には、該街路灯の異常を検出する検出器の異常検出信号を入力するように接続することができる。これによれば、高速道路など非常に広範囲に設置された多くの街路灯に対し、街路灯を識別しながら、街路灯のランプの劣化やランプ切れなどの故障状態を、空間光を媒体に伝送し、その状態情報を容易に効率よく収集することができる。
【００１７】
また、上記投光素子として、可視光発光ダイオードを使用し、可視光としての空間光を投光素子から投光し、可視光通信装置として構成することができる。これによれば、投光部から可視光を投光することとなるため、機器の保守点検などを行なうにあたり、作業者は投光部から投光される可視光を目印に移動して機器の状態情報を収集することができる。
【００１８】
また、上記伝送信号生成部は、搬送波の高周波信号を発振する搬送波発振器と、状態情報とＩＤ情報を含む情報信号により、搬送波をＰＰＭ変調する変調部と、を備えて構成することができる。これによれば、状態情報とＩＤ情報を含む情報信号により、搬送波をＰＰＭ変調して、伝送信号を生成し、伝送信号を空間光に重畳して伝送することができる。
【発明の効果】
【００１９】
本発明の状態情報収集装置によれば、多数の機器の状態を示す状態情報を、各機器の識別を行いながら、効率よく収集することができる。
【図面の簡単な説明】
【００２０】
【図１】本発明の一実施形態を示す状態情報収集装置の送信器の正面図である。
【図２】同送信器の斜め上から見た斜視図（ａ）、斜め下から見た斜視図（ｂ）である。
【図３】同送信器の分解斜視図である。
【図４】同送信器の縦断面図である。
【図５】同送信器の回路の構成ブロック図である。
【図６】データフレームの構成図である。
【図７】使用状態の送信器を示す部分断面図である。
【図８】受信器の回路の構成ブロック図である。
【図９】状態情報収集装置の構成図である。
【発明を実施するための形態】
【００２１】
以下、本発明の一実施形態を図面に基づいて説明する。状態情報収集装置は、
機器としての街路灯２０のＩＤ情報を記憶するＩＤ情報記憶部８及び街路灯の状態を示す状態情報を入力し記憶する状態情報記憶部９を設け、街路灯のＩＤ情報と状態情報を重畳した空間光を投光する投光部２を有する送信器１と、各街路等の近傍を移動する移動体としての自動車に取り付けられ、送信器１の投光部２から投光された空間光を受光する受光部３１を有した受信器３０と、を備えて構成される。
【００２２】
図１は、状態情報収集装置の送信器１を示し、送信器１の本体ケース１ａは、先端に投光部２を設けた電球型に形成され、空間光伝送としての可視光通信に必要な回路を本体ケース１ａ内に収納している。この状態情報収集装置の送信器１は、図７のように街路灯２０に取り付けられ、街路灯２０のランプ切れなどの動作不良（状態情報）を外部に伝送するように使用される。
【００２３】
送信器１は、図１〜図４に示すように、電球型に形成された本体ケース１ａを有しており、本体ケース１ａの先端部に投光素子３から空間光を投光する投光部２が設けられ、末端部に口金部１２が取付部兼電源入力部として設けられる。これにより、送信器１は、商用電源等の交流電源に接続され街路灯２０に設けられた電球用ソケット２１（図７）に、口金部１２を介して簡単に取り付けることが可能な構造となっている。
【００２４】
投光部２の投光素子３には、例えば白色光を投光する可視光発光ダイオードが使用され、図４に示すように、椀状の反射器１９の中央にそのＬＥＤモジュールが取り付けられ、投光部２の前面が透明板により覆われ、後述の如く、ＩＤ情報と機器の状態情報を含む伝送信号を重畳した可視光を前方に照射する。投光部２の投光素子３から照射される可視光は、街路灯２０の場合、例えば１０〜２０度の角度範囲で下方に向けて投光されるようになっている。
【００２５】
なお、投光素子３には、可視光発光ダイオードが用いられ、装置としては可視光通信装置を構成するが、赤外線（近赤外光）を発光する赤外線発光ダイオードを使用することもできる。この場合、目に見えない近赤外光が投光され、空間光伝送装置の範疇に入ることになる。
【００２６】
本体ケース１ａは、円筒状に形成された上ケース１６とその下部に接続された下ケース１７とからなり、上ケース１６の上部に投光部２が固定され、上ケース１６内には、図５に示すように、投光素子３を投光動作させる投光駆動回路５と、街路灯（機器）の状態を示す状態情報を取り込む機器状態情報入力部４と、例えば２８．８ｋＨｚの副搬送波を発振し出力する副搬送波発振器６と、街路灯の状態情報とＩＤ情報を含む情報信号により、副搬送波を変調して伝送信号を生成し、投光駆動回路５に出力する伝送信号生成部７と、機器状態情報入力部４から入力した状態情報を記憶する状態情報記憶部９と、機器のＩＤ情報を記憶するＩＤ情報記憶部８と、が収納される。なお、上記副搬送波を発振出力する副搬送波発振器６は、伝送媒体である光を主搬送波とする場合の称呼であり、単に搬送波を発振出力する搬送波発振器でもある。
【００２７】
本体ケース１ａの投光部２、上ケース１６、及び下ケース１７は、図４に示すように、固定ねじ２２により分解と組立が可能な構造となっており、例えばＩＤ情報の書き込みなどを行なう場合、マイクロコンピュータ１０に信号線を接続してＩＤ情報記憶部８にＩＤを書き込むことができるようになっている。
【００２８】
下ケース１７内には上記回路の電源となる電源回路１１が収納される。電源回路１１は商用電源などの交流電源を、所定電圧の直流に変換するＡＣ／ＤＣ変換器から構成され、交流電源は、本体ケース１ａの末端部に配した口金部１２から供給される。ＡＣ／ＤＣ変換器は、スイッチングインバータ回路が使用され、小形の回路で商用電源の交流を例えばＤＣ１２Ｖの直流に変換可能である。
【００２９】
口金部１２は、ねじ部としてのシェル部１３と、シェル部１３の下側中央に絶縁体１５を介して取り付けられたアイレット部１４とから構成される。アイレット部１４には電源回路１１の一方の入力端子が内側で接続され、シェル部１３には他方の入力端子が内側で接続される。このような口金部１２は、Ｅ１７、Ｅ１８，Ｅ２６等の規格化された口金部として形成され、所定の電球用ソケットにねじ込み、簡単に取り付けを行うことができるようになっている。なお、取付部兼電源入力部としての口金部１２は、ねじ部式のシェル部１３を有しているが、ねじ式シェル部以外の例えば円筒型の取付接続部材であってもよい。
【００３０】
上記伝送信号生成部７、状態情報記憶部９、及びＩＤ情報記憶部８は、ワンチップ型のマイクロコンピュータ１０から構成され、予めメモリに記憶されたプログラムデータに基づき、上記副搬送波信号を上記機器のＩＤ情報及び機器の状態情報により、例えば４値ＰＰＭ変調（パルスポジション変調）にて変調し、変調された送信伝送信号を、投光駆動回路５に出力するように構成される。ワンチップ型のマイクロコンピュータ１０、副搬送波発振器６、及び投光駆動回路５は、図４のように、本体ケース１ａ内の回路基板１８に実装される。
【００３１】
ＩＤ情報記憶部８は、状態情報収集装置の送信器１が設置される街路灯（機器）２０のＩＤ（識別番号）を記憶する記憶部であり、予め製造時或いは設置工事の段階でその街路灯２０のＩＤ情報が書き込まれる。状態情報記憶部９は、街路灯２０のランプ（水銀灯、ナトリウム灯など）の劣化状態或いはランプ切れ状態などを記憶する記憶部であり、上ケース１６に設けた機器状態情報入力部４から入力した機器状態情報を記憶する。
【００３２】
機器状態情報入力部４は、具体的には、外部からの信号線が接続されるコネクタ及びフォトカプラから構成され、図示は省略されているが、街路灯２０には、そのランプの状態を検出する機器状態センサが設けられる。機器状態センサは、例えばランプを流れる電流の変化を、ホール素子などの電流センサにより検出し、ランプの寿命が近づいたときに発生する電流値の変動や低下、或いは完全にランプ切れが発生したときの状態を検出し、信号線を通して機器状態情報入力部４に送るようになっている。マイクロコンピュータ１０は、一定時間毎に機器状態情報入力部４のフォトカプラを通して入力される機器の状態情報信号を取り込み、異常を示す信号が入力された場合、状態情報記憶部９にそれを記憶するようになっている。
【００３３】
また、マイクロコンピュータ１０の伝送信号生成部７は、図６に示すように、データフレームを作成し、プリアンブルとフレームタイプからなるスタートフレームに続き、ペイロードとしてＩＤ情報と機器状態情報のデータを配し、エンドフレームとしてチェック用にＣＲＣ（周期冗長コード）を配するように、伝送信号のデータフレームを生成する。
【００３４】
さらに、伝送信号生成部７は、副搬送波発振器６から入力する副搬送波を、上記データフレームのデータ、つまり機器のＩＤ情報と状態情報を含むデータにより４値ＰＰＭ変調して、情報伝送信号を出力するように構成される。４値ＰＰＭの変調回路は、伝送するデータを２ビット単位に区切り、例えば「００」を「１０００」、「０１」を「０１００」、「１０」を「００１０」、「１１」を「０００１」とするように、４個の２ビットデータに応じて、パルスの位置を特定するパルスを発生させ、副搬送波をそのデータパルスで変調するように動作する。これにより、データに拘わらず一定の照度の可視光を照射するようになっている。
【００３５】
なお、伝送信号生成部７では、副搬送波を情報伝送信号により４値ＰＰＭ変調し、伝送信号を生成しているが、ＡＳＫ変調、ＦＳＫ変調、或いはＰＳＫ変調等を行なって、伝送信号を生成することもでき、若しくは搬送波の変調なしに、ベースバンド方式で情報伝送信号をパルス化し、パルス化した伝送信号を空間光に重畳して伝送することもできる。
【００３６】
投光駆動回路５は、マイクロコンピュータ１０の伝送信号生成部７から送られる変調された情報伝送信号を入力し、投光部２の投光素子３を駆動して可視光を投光すると共に、情報伝送信号をその可視光に重畳させるように構成される。
【００３７】
上記構成の状態情報収集装置の送信器１は、図７に示すように、高速道路などの街路灯２０の灯具内に取り付けられる。街路灯２０の灯具内には、電球用ソケット２１が下向きに設けられ、その電球用ソケット２１に口金部１２をねじ込むことにより、送信器１はその投光部２を下方に向けた状態で取り付けられる。なお、街路灯２０のほか、それと類似する構成のトンネル内照明器具、工場やグランド施設等の構内灯、或いは滑走路の誘導灯、若しくは照明器具以外の、異常を検出する必要のある機器に、上記構成の状態情報収集装置の送信器１を取り付けることもできる。
【００３８】
街路灯２０の灯具内には、本来の照明用のランプがそのランプ用ソケットに取り付けられており、電球用ソケット２１は類似するランプ用ソケットと同様に、簡単に灯具内に設けることができる。これにより、送信器１はその電球用ソケット２１に口金部１２をねじ込み、信号線を機器状態情報入力部４に接続するのみで、簡単に装着し、電源接続を行うことができる。
【００３９】
これは、高速道路の街路灯２０のように、非常に多くの数の機器が広範囲にわたって設置されている場合、各機器に状態情報収集装置の送信器１を設置する際に、特に有利である。なお、図７のように送信器１は街路灯２０の灯具内に設けたが、街路灯２０の灯具の外側の支柱などに、送信器１を下向きに取り付けることもできる。
【００４０】
状態情報収集装置の送信器１は、常時或いは一定時間毎に投光部２を動作させて投光動作を行うように動作し、夜間に、街路灯２０が点灯したとき、その電源線に流れる電流の異常（ランプの劣化やランプ切れによる電流値の低下または上昇）を図示しない電流センサが検出したとき、その異常信号が機器状態情報入力部４に入力され、マイクロコンピュータ１０は、状態情報記憶部９にその状態情報を記憶する。
【００４１】
一方、マイクロコンピュータ１０の伝送信号生成部７は、データフレームを作成する際、スタートフレームに続き、ペイロードのＩＤ情報と機器状態情報のデータをフレームに入れるとき、状態情報記憶部９に記憶された異常時の状態情報を読み出してペイロードに入れ、伝送信号を生成する。
【００４２】
さらに、伝送信号生成部７は、副搬送波発振器６から送られる副搬送波を、機器のＩＤ情報と状態情報を含むデータにより４値ＰＰＭ変調して、情報伝送信号を出力する。伝送信号生成部７から出力された情報伝送信号は、投光駆動回路５に入力され、投光駆動回路５は、投光部２の投光素子３を駆動して可視光を投光すると共に、情報伝送信号をその可視光に重畳させ、可視光を投光部２から下方の道路に向けて投光する。
【００４３】
一方、街路灯２０の保守点検を行なう場合、図９のように、移動体としての例えば自動車の天井部に、受光部３１、受光回路３３、復調部３４等を備えた受信器３０を搭載し、道路を移動しながら、街路灯２０の下方に投光されたエリアを、受信可能な速度で通過する。
【００４４】
受信器３０は図８のブロック図に示すように構成され、受光部３１は、フォトダイオード等の可視光を受光して受光信号を出力する受光素子３２を備え、送信器１の投光部２から投光される可視光を受光し受光信号を出力する。なお、送信器１の投光素子３に、赤外線（近赤外光）を発光する赤外線発光ダイオードが使用される場合、空間光としての赤外線を受光する赤外線用フォトダイオードなどが受光素子３２に使用される。
【００４５】
受光部３１には受光回路３３が接続され、受光回路３３は、受光素子３２から出力される微弱な受光信号をオペアンプで増幅した後、コンパレータを通して、復調に必要なレベルのパルス信号に変換し、波形整形回路を通して波形整形した後、マイクロコンピュータ３７の復調部３４に出力するように構成される。
【００４６】
復調部３４、デジタル処理部３５、及び記憶部３６は、ワンチップ型のマイクロコンピュータ３７から構成され、マイクロコンピュータ３７は、取り込まれたパルス信号を復調部３４でＰＰＭ変調された伝送信号の復調を行い、４値のパルスの位置に基づき、伝送信号をデジタル信号に変換し、受信した街路灯２０のＩＤ情報と状態情報を得るようになっている。なお、送信器１の伝送信号生成部７でＰＰＭ変調以外の例えばＡＳＫ変調、ＦＳＫ変調、ＰＳＫ変調などを行なっている場合、復調器３４は、ＡＳＫ変調、ＦＳＫ変調、ＰＳＫ変調などに対応した復調を行なうこととなる。
【００４７】
上記構成の受信器３０は、図９のように、自動車上に搭載され、自動車により高速道路などを移動しながら、各街路灯２０近傍を走行し、各街路灯２０の送信器１の投光部２から投光される可視光（空間光）を、受光部３１で受光する。受信器３０は、受光した可視光（空間光）に重畳された情報伝送信号を取り出して復調し、デジタル処理部３５により、情報伝送信号に含まれる街路灯２０のＩＤ情報とその状態情報が抽出される。そして、抽出された街路灯２０の動作状態を示す機器状態情報は、その街路灯２０のＩＤ情報と共に記憶部３６に記憶される。
【００４８】
このようなＩＤ情報と機器状態情報を取得する動作は、受信器３０を搭載する自動車が高速道路などを走行しながら、各街路灯２０についてそのＩＤ情報と状態情報を含む空間光を受光しながら行なわれ、抽出した街路灯２０のＩＤ情報と状態情報が記憶部３６に順に記録される。これにより、各街路灯２０について、その灯具のランプの劣化状態やランプ切れ状態が、そのＩＤ情報と共に受信器３０の記憶部３６に順に記録さることとなる。
【００４９】
このように、状態情報収集装置の送信器１は、電球型の本体ケース１ａを有しているため、街路灯２０側に電球用ソケット２１を設けておき、本体ケース１ａ末端の取付部兼電源入力部としての口金部１２をソケット部に差し込み、機器状態情報入力部４に信号線を接続するのみで、簡単に、所定の位置、所定の姿勢で街路灯２０に取り付けることができ、電源線の接続も容易である。
【００５０】
また、投光部２から所望の方向に向けて空間光（可視光）を投光することができ、電源接続も口金部１２を通して同時に行うことができるので、広範囲に設置された多数の街路灯２０に対し、送信器１を非常に簡単に効率良く低コストで設置することができる。
【００５１】
また、送信器１は、ＩＤ情報記憶部８に、各街路灯２０のＩＤ番号を予め記憶し、機器状態情報入力部４に、街路灯２０の点灯時の異常電流等を検出する検出器の異常検出信号を入力する信号線を接続するので、高速道路など非常に広範囲に設置された多くの街路灯２０に対し、各街路灯２０を識別可能としつつ、各街路灯２０のランプの劣化やランプ切れなどの故障状態を、空間光を媒体に伝送し、受信器３０は、伝送された各街路灯２０のＩＤ情報と共にその状態情報を容易に効率よく収集することができる。
【００５２】
また、送信器１は、投光素子３として、可視光発光ダイオードを使用し、可視光としての空間光を投光素子３から投光するので、街路灯２０の保守点検などを行なうにあたり、作業者は投光部２から投光される可視光を目印に移動して街路灯２０の状態情報を収集することができる。
【００５３】
なお、上記実施形態では、状態情報収集装置の送信器１を街路灯２０またはそれに類似する灯具に取り付けて、街路灯２０の動作不良やランプ切れを検出し、その状態情報をＩＤ情報と共に送信し、受信器３０で情報を受信して収集できるようにしたが、そのほかに、例えば受信機及び拡声器付きの防災無線報知設備などの、異常を検出する必要のある機器に取り付け、その動作不良を検出して機器の状態情報をその機器のＩＤ情報と共に空間光により伝送し、移動体に設置した受信器によりそれらの情報を収集することもできる。
【符号の説明】
【００５４】
１      送信器
１ａ    本体ケース
２      投光部
３      投光素子
４      機器状態情報入力部
５      投光駆動回路
６      副搬送波発振器
７      伝送信号生成部
８      ＩＤ情報記憶部
９      状態情報記憶部
１０    マイクロコンピュータ
１１    電源回路
１２    口金部
１３    シェル部
１４    アイレット部
１５    絶縁体
１６    上ケース
１７    下ケース
１８    回路基板
１９    反射器
２０    街路灯
２１    電球用ソケット
３０    受信器
３１    受光部
３２    受光素子
３３    受光回路
３４    復調部
３５    デジタル処理部
３６    記憶部
３７    マイクロコンピュータ
【図１】
2013046117.tif 000003
【図２】
2013046117.tif 000004
【図３】
2013046117.tif 000005
【図４】
2013046117.tif 000006
【図５】
2013046117.tif 000007
【図６】
2013046117.tif 000008
【図７】
2013046117.tif 000009
【図８】
2013046117.tif 000010
【図９】
2013046117.tif 000011